(57)【要約】【課題】  第２シャッタに設けられた防塵用及びディスクメディアにおける記録面の内側近傍の支持用の第２凸部がディスクメディアの記録面に干渉することを確実に防止することができるディスクカートリッジを得る。【解決手段】  ディスクカートリッジ１０では、ケース１４に回転可能に収容したディスクメディア１２の記録面にアクセスするためのヘッド開口部１６は、ディスクメディア１２と同軸的に回動する第１シャッタ６４と第１シャッタ６４とは異なる軸回りにカ移動する第２シャッタ７４とによって開閉される。ヘッド開口部１６の閉塞状態では、それぞれ円弧状の第１凸部６８と第２凸部８０とが環状を成してディスクメディア１２の記録面の内側に当接し、記録面側への塵埃の侵入を阻止する。ヘッド開口部１６の開閉過程及び開放状態では、カム部５６と摺動突起７６Ａとで構成されるガイド機構が第２シャッタ７４をディスクメディア１２に対し離間させる。【選択図】      図３
2005267771.tif 000002
【特許請求の範囲】
【請求項１】
円板状のディスクメディアを回転可能に収容し、前記ディスクメディアの記録面にアクセスするためのヘッド開口部が設けられたケースと、
前記ケース内における前記ディスクメディアの記録面側に設けられ、前記ディスクメディアの軸心と同軸的に回動して前記ヘッド開口部の一部を開閉する第１シャッタと、
前記ケース内における前記ディスクメディアの記録面側に該ディスクメディアに対する接離可能に設けられ、前記第１シャッタとは異なる軸廻りに回動して前記ヘッド開口部の残余の一部を開閉する第２シャッタと、
円弧状に形成されて前記第１シャッタに設けられ、前記ディスクメディアにおける記録面の内側に当接する第１凸部と、
円弧状に形成されて前記第２シャッタに設けられ、前記ヘッド開口部の閉塞状態で前記第１シャッタに設けられた第１凸部とで環状を成す第２凸部と、
前記ヘッド開口部の閉塞状態で、前記第２シャッタを、前記第２凸部が前記第１凸部と共に前記ディスクメディアにおける記録面の内側に当接する前記ディスクメディアに対する近接位置に保持し、前記ヘッド開口部の開閉過程及び開放状態で、前記第２シャッタを前記ディスクメディアに対し前記近接位置よりも離間して位置させるガイド機構と、
を備えたディスクカートリッジ。
【請求項２】
前記第２シャッタは、前記ケースにおける前記ディスクメディアの径方向外側に設けられた支軸にボス部を嵌合させて、該支軸に対し回動及び軸線方向の移動可能に支持されており、
前記ガイド機構は、前記ケースにおける前記支軸廻りの部分と、前記ボス部との間に設けられている、請求項１記載のディスクカートリッジ。
【請求項３】
前記ガイド機構は、前記ケースにおける前記支軸の根元部廻りに設けられ周方向にテーパ状の段差を形成するカム部と、前記ボス部における前記支軸の根元部側から突設され前記ヘッド開口部の開閉に伴って前記カム面と摺動する接触子とを有して構成されている、請求項２記載のディスクカートリッジ。
【請求項４】
前記第２シャッタを前記ディスクメディアから離間する方向に付勢する付勢部材をさらに備えた、請求項１乃至請求項３の何れか１項記載の記載のディスクカートリッジ。
【請求項５】
前記第２凸部が前記第１凸部よりも前記ディスクメディアの記録面側に突出しないように前記第２シャッタの移動を規制するストッパをさらに備えた、請求項１乃至請求項４の何れか１項記載の記載のディスクカートリッジ。
【発明の詳細な説明】
【技術分野】
【０００１】
本発明は、情報や映像の記録再生媒体として用いられる円板状のディスクメディアをケース内に回転可能に収容したディスクカートリッジに関する。
【背景技術】
【０００２】
例えば、コンピュータ用の記録再生媒体や映像の記録再生媒体として、光ディスクや光磁気ディスク等の円板状のディスクメディアが用いられている。このようなディスクメディアは、記録または再生を行なう際には、ディスクドライブ装置に装填された状態でスピンドル軸によって回転されつつ、ディスクメディアの記録面側にアクセスした記録ヘッドによって該ディスクメディアの記録層へレーザ光、またはレーザ光及び磁場の両者が照射される。これにより、ディスクメディアでは、記録層の分解及び／または昇温によるピット形成や相変化、磁化反転等によって情報の記録が為され、または再生ヘッドが照射するレーザ光の反射率や偏光角を該再生ヘッドで読み取って記録された情報の再生が行なわれるようになっている。
【０００３】
このようなディスクメディアの高記録容量化に伴い、ディスクメディアの記録面側の表面（記録層を被覆するカバー層）への塵埃等の付着を防止するために、ディスクメディアをケースの収容部内に収容したディスクカートリッジが知られている（例えば、特許文献１参照）。このようなディスクカートリッジでは、ケースにおけるディスクメディアの記録面側に、ディスクメディアのセンタ孔及び記録面側にアクセスするためのチャッキング開口部及びヘッド開口部が設けられている。これらの開口は、インナロータによって駆動される一対のシャッタによって開閉されるようになっている。
【０００４】
また、ケースにおけるディスクメディアに対しチャッキング開口部及びヘッド開口部とは反対側に、ディスクメディアの出し入れを可能とする開口部を設けたディスクカートリッジが知られている（例えば、特許文献２参照）。このディスクカートリッジでは、上記開口部を設けると共に、インナロータを含む一対のシャッタを同一平面で動作させることにより、薄型化を図るようになっている。このディスクカートリッジについて、図１２に基づいて説明する。
【０００５】
図１２に示すディスクカートリッジ１００は、ケース１０２の底板１０２Ａにディスクメディア（図示省略）のセンタ孔にアクセスするためのチャッキング開口部１０４、ドライブ装置のヘッドが記録面にアクセスするためのヘッド開口部１０６がそれぞれ設けられている。ケース１０２内におけるディスクメディアと底板１０２Ａとの間には、ディスクメディアと同軸的に回動可能に支持された第１シャッタ１０８と、ケース１０２におけるディスクメディアの径方向外側に回動軸１１２を有する第２シャッタ１１０とが設けられている。
【０００６】
第１シャッタ１０８と第２シャッタ１１０とは、図１２（Ａ）に示す如く互いの突き当て端である当接端面１０８Ａ、１１０Ａを突き当ててヘッド開口部１０６を閉塞し、チャッキング開口部１０４については常時開放状態を維持する。そして、第１シャッタ１０８を矢印Ｇ方向に回動すると共に第２シャッタ１１０をヘッド開口部１０６に対し矢印Ｇとは略反対の矢印Ｈ方向に回動することで、図１２（Ｂ）に示される如く、ヘッド開口部１０６が開放される。
【０００７】
この第１シャッタ１０８と第２シャッタ１１０とは連動する。具体的には、第１シャッタ１０８から突設された突起１１４が第２シャッタ１１０に設けられたガイド溝１１６に入り込んでおり、第１シャッタ１０８が矢印Ｇ側に回動すると、突起１１４がガイド溝１１６の溝壁と摺動しつつ該溝壁を押圧することで、第２シャッタ１１０が矢印Ｈ方向に回動し、ヘッド開口部１０６が開放される。また、これと反対の動作によってヘッド開口部１０６が閉塞される。
【０００８】
また、第１シャッタ１０８の上面及び第２シャッタ１１０の上面からは、それぞれ平面視で円弧状に形成された内周受け凸部１１８、１２０が突設されている。一対の内周受け凸部１１８、１２０は、ヘッド開口部１０６の閉塞状態で互いに周方向端部を当接させ、全体として平面視でチャッキング開口部１０４を囲む環状を成す。この環状に形成された内周受け凸部１１８、１２０の上端面にディスクメディア１２の軸心部に設けられたセンタ孔周りの面が当接するようになっている。これにより、チャッキング開口部１０４を経由したディスクメディアの記録面側への塵埃等の侵入が阻止される。また、第１シャッタ１０８の外周部には、ディスクメディア１２の記録面よりも径方向外側部分に当接する外周受け凸部１２２が設けられており、ディスクメディアの外周側から記録面側への塵埃等の侵入が阻止される。
【０００９】
そして、このディスクカートリッジ１００では、ヘッド開口部１０６を完全に開放または閉塞する状態で、第１シャッタ１０８の突起１１４が底板１０２Ａの溝（図示省略）に入り込むようになっている。これにより、ヘッド開口部１０６を開閉する過程では、突起１１４が溝を抜け出て底板１０２Ａと摺動することで、第１シャッタ１０８における突起１１４側部分が持ち上がり、第２シャッタ１１０に設けた内周受け凸部１２０がディスクメディアの記録面に干渉することを防止する。ヘッド開口部１０６を完全に開放した状態では、突起１１４が溝に入り込んで第１シャッタ１０８が下降し、ディスクメディアが底板１０２Ａに対し平行な状態に復帰する。これにより、ドライブ装置の回転スピンドル軸によるディスクメディアの保持が可能となる。
【特許文献１】特開２００３−１１５１８４号公報
【特許文献２】特開２００３−２４２７４０号公報
【発明の開示】
【発明が解決しようとする課題】
【００１０】
しかしながら、上記の如き従来のディスクカートリッジ１００では、ヘッド開口部１０６を完全に開放した状態で第１シャッタ１０８が下降し、内周受け凸部１２０の高さが内周受け凸部１１８の高さに一致するため、回転スピンドル軸による保持、浮上前のディスクメディアの記録面が内周受け凸部１２０に接触してしまう恐れがある。この内周受け凸部１２０と記録面との接触は、該記録面に損傷を与える原因となる。また、上記特許文献２には、ヘッド開口部１０６を完全に開放した状態で内周受け凸部１２０と記録面との接触を防止可能な構成も記載されているが、何れも回転スピンドルによる保持前のディスクメディアを底板１０２Ａに対し傾斜させるものであり、回転スピンドル軸によるディスクメディアの正確な位置決め状態での保持が困難となるため、実用的ではない。
【００１１】
本発明は、上記事実を考慮して、第２シャッタに設けられた防塵用及びディスクメディアにおける記録面の内側近傍の支持用の第２凸部がディスクメディアの記録面に干渉することを確実に防止することができるディスクカートリッジを得ることが目的である。
【課題を解決するための手段】
【００１２】
上記目的を達成するために請求項１記載の発明に係るディスクカートリッジは、円板状のディスクメディアを回転可能に収容し、前記ディスクメディアの記録面にアクセスするためのヘッド開口部が設けられたケースと、前記ケース内における前記ディスクメディアの記録面側に設けられ、前記ディスクメディアの軸心と同軸的に回動して前記ヘッド開口部の一部を開閉する第１シャッタと、前記ケース内における前記ディスクメディアの記録面側に該ディスクメディアに対する接離可能に設けられ、前記第１シャッタとは異なる軸廻りに回動して前記ヘッド開口部の残余の一部を開閉する第２シャッタと、円弧状に形成されて前記第１シャッタに設けられ、前記ディスクメディアにおける記録面の内側に当接する第１凸部と、円弧状に形成されて前記第２シャッタに設けられ、前記ヘッド開口部の閉塞状態で前記第１シャッタに設けられた第１凸部とで環状を成す第２凸部と、前記ヘッド開口部の閉塞状態で、前記第２シャッタを、前記第２凸部が前記第１凸部と共に前記ディスクメディアにおける記録面の内側に当接する前記ディスクメディアに対する近接位置に保持し、前記ヘッド開口部の開閉過程及び開放状態で、前記第２シャッタを前記ディスクメディアに対し前記近接位置よりも離間して位置させるガイド機構と、を備えている。
【００１３】
請求項１記載のディスクカートリッジでは、ケースに収容されたディスクメディアの記録面にアクセスするためのヘッド開口部は、不使用時には第１シャッタと第２シャッタとによって閉塞され、使用時には第１シャッタと第２シャッタとがそれぞれの回動軸心廻りに回動して開放される。ヘッド開口部が開放された状態では、ディスクメディアはドライブ装置によって回転駆動され、ドライブ装置のヘッドがヘッド開口部から記録面にアクセスして情報の記録または記録された情報の再生が為される。すなわち、ケースは、ディスクメディアのドライブ装置による回転駆動を可能とするように、該ディスクメディアを相対回転可能に収容している。
【００１４】
そして、第１シャッタと第２シャッタとがヘッド開口部を閉塞した状態では、第１シャッタの第１凸部と、ガイド機構によってディスクメディア記録面に対する近接位置で保持されている第２シャッタの第２凸部とが、環状を成してディスクメディアの記録面よりも径方向内側部分にそれぞれ当接している。これにより、例えばチャッキング開口部が閉塞されない構成においても、第１凸部と第２凸部とがディスクメディアの記録面側への塵埃等の侵入を阻止する。
【００１５】
ここで、ガイド機構は、第１シャッタ及び第２シャッタがヘッド開口部を開閉する過程及びヘッド開口部が完全に開放された状態で、第２シャッタを上記近接位置よりもディスクメディアから離間した位置に位置させるため、該第２シャッタに設けた第２凸部がディスクメディアの記録面に接触してしまうことが防止される。そして、ヘッド開口部の開放状態では、ディスクメディアは、第１シャッタの第１凸部（及びディスクメディアの記録面に干渉しない他の部分）に当接してケースに対し略平行な状態に維持される。これにより、ドライブ装置の回転スピンドル軸によるディスクメディアの保持が正確かつ容易に行なわれる。
【００１６】
このように、請求項１記載のディスクカートリッジでは、第２シャッタに設けられた防塵用及びディスクメディアにおける記録面の内側近傍の支持用の第２凸部がディスクメディアの記録面に干渉することを確実に防止することができる。なお、ガイド機構は、例えば、第１シャッタと第２シャッタとの間、またはケースと第２シャッタとの間に設けられる。また、第２シャッタをディスクメディアに対し接離させる力は、例えば、重力、第２シャッタまたは第１シャッタの回動力、弾性部材による付勢力等から得ることできる。
【００１７】
請求項２記載の発明に係るディスクカートリッジは、請求項１記載のディスクカートリッジにおいて、前記第２シャッタは、前記ケースにおける前記ディスクメディアの径方向外側に設けられた支軸にボス部を嵌合させて、該支軸に対し回動及び軸線方向の移動可能に支持されており、前記ガイド機構は、前記ケースにおける前記支軸廻りの部分と、前記ボス部との間に設けられている、ことを特徴としている。
【００１８】
請求項２記載のディスクカートリッジでは、第２シャッタの回動軸心である支軸がケースにおけるディスクメディアの径方向外側に配置されており、このケースにおける支軸廻りの部分と第２シャッタのボス部との間にガイド機構が設けられている。このため、第２シャッタをディスクメディアに対し接離させるガイド機構は、ディスクメディアの径方向外側に位置し、ケース内の限られた空間を有効利用して設けられる。
【００１９】
請求項３記載の発明に係るディスクカートリッジは、請求項２記載のディスクカートリッジにおいて、前記ガイド機構は、前記ケースにおける前記支軸の根元部廻りに設けられ周方向にテーパ状の段差を形成するカム部と、前記ボス部における前記支軸の根元部側から突設され前記ヘッド開口部の開閉に伴って前記カム面と摺動する接触子とを有して構成されている、ことを特徴としている。
【００２０】
請求項３記載のディスクカートリッジでは、第２シャッタが支軸周りにヘッド開口部の閉塞方向に回動すると、接触子がカム部と摺動し、第２シャッタがヘッド開口部の閉塞位置に至るときに接触子がカム部のテーパ状の段差を乗り越えて第２凸部がディスクメディアのセンタ孔周りの面に当接する。この状態から第２シャッタがヘッド開口部の開放方向に回動すると、接触子が段差を有するカム部に倣って摺動しつつ第２シャッタがディスクメディア記録面から離間する方向に移動し、第２凸部が記録面から離間する。このように、簡単な構造でガイド機構が構成される。
【００２１】
請求項４記載の発明に係るディスクカートリッジは、請求項１乃至請求項３の何れか１項記載のディスクカートリッジにおいて、前記第２シャッタを前記ディスクメディアから離間する方向に付勢する付勢部材をさらに備えた、ことを特徴としている。
【００２２】
請求項４記載のディスクカートリッジでは、付勢部材が第２シャッタをディスクメディア記録面からの離間方向に付勢している。このため、ヘッド開口部の開閉過程及び開放状態、すなわちガイド手段による近接位置での保持が解除された状態で、第２シャッタ（第２凸部）はディスクメディア記録面から確実に離間する。また、ディスクメディアに対し接離可能（軸線方向に移動可能）である第２シャッタの動作が安定する。さらに、例えば、ディスクメディアの回転軸線を水平面に沿わせる縦型のドライブ装置においても、ヘッド開口部の開閉過程及び開放状態で、第２シャッタすなわち第２凸部はディスクメディア記録面から確実に離間する。
【００２３】
請求項５記載の発明に係るディスクカートリッジは、請求項１乃至請求項４の何れか１項記載のディスクカートリッジにおいて、前記第２凸部が前記第１凸部よりも前記ディスクメディアの記録面側に突出しないように前記第２シャッタの移動を規制するストッパをさらに備えた、ことを特徴としている。
【００２４】
請求項５記載のディスクカートリッジでは、第２凸部が第１凸部よりも突出しないように第２シャッタの移動を規制するストッパを設けたため、ディスクメディアに対し接離可能である第２シャッタがヘッド開口部の閉塞状態でディスクメディアを損傷する恐れがない。すなわち、例えばユーザが不注意により第２シャッタをケース内方側に押圧ししても、ディスクメディアが損傷を受けることが防止される。
【発明の効果】
【００２５】
以上説明したように本発明に係るディスクカートリッジは、第２シャッタに設けられた防塵用及びディスクメディアにおける記録面の内側近傍の支持用の第２凸部がディスクメディアの記録面に干渉することを確実に防止することができるという優れた効果を有する。
【発明を実施するための最良の形態】
【００２６】
本発明の一実施形態に係るディスクカートリッジ１０について、図１乃至図１１に基づいて説明する。なお、各図に適宜示す矢印Ａは、ディスクカートリッジ１０のドライブ装置への装填方向を示しており、便宜上、ドライブ装置への装填方向である矢印Ａにて示す側を前側として説明する。また、矢印Ｂにて示す方向を上側、矢印Ｃにて示す方向を右側とする。
【００２７】
図１には、ディスクカートリッジ１０の外観形状が斜視図にて示されており、図２にはディスクカートリッジ１０が分解斜視図にて示されている。これらの図に示される如く、ディスクカートリッジ１０は、円板状に形成された情報記録再生媒体としてのディスクメディア１２を回転可能に収容するケース１４と、ケース１４の下面で開口し記録再生ヘッドがディスクメディア１２の記録面にアクセスするためのヘッド開口部１６を開閉するシャッタ機構１８と、ケース１４の上側に開口し該ケース１４に対するディスクメディア１２の出し入れを可能とするディスク開口部２０からのディスクメディア１２の脱落を防止するためのディスク保持機構２２とを主要構成要素として構成されている。なお、図１ではディスクメディア１２の図示を省略している。
【００２８】
先ず、ディスクカートリッジ１０の概略全体構成を説明し、その後、本発明の要部である第２シャッタ昇降機構について説明することとする。
【００２９】
［ディスクカートリッジの全体構成］
（ディスクメディアの構成）
ディスクカートリッジ１０に収容されるディスクメディア１２は、上記の通り円板状に形成されている。ディスクメディア１２の軸心部には、ディスクドライブ装置の回転スピンドル軸にチャッキング（係合保持）されるセンタ孔１２Ａが設けられている。また、図７に示される如く、ディスクメディア１２の下面における外周近傍及びセンタ孔１２Ａ周りの所定範囲を除く部分は、記録層がカバー層にて被覆保護されて形成された記録面（記録領域）１２Ｂとされている。ディスクメディア１２の下面におけるセンタ孔１２Ａの孔縁と記録面１２Ｂの内縁との間の領域は、ドライブ装置の回転スピンドル軸がディスクメディア１２を保持するためのチャッキングエリア１２Ｃとされている。本実施形態では、ディスクメディア１２の直径（外径）は略１２０ｍｍとされている。
【００３０】
（ケースの構成）
ケース１４は、上シェル２４と下シェル２６とを接合して平面視で略矩形の扁平容器状に構成されている。具体的には、ケース１４は、平面視で前縁部が左右略対称の円弧状に形成されると共に後端が左右方向に沿う直線状に形成されており、この形状によってドライブ装置への誤装填を防止するようになっている。
【００３１】
上シェル２４は、平面視でケース１４の形状に対応した形状の天板２８と、天板２８の外縁に略沿って下方に立設された外周壁３０とを備えている。天板２８には、平面視で略円形のディスク開口部２０が設けられており、ディスク開口部２０の内径はディスクメディア１２の外径よりも大とされている。これにより、ディスク開口部２０を通してディスクメディア１２のケース１４への出し入れ（挿脱）が可能とされている。また、上シェル２４は、ディスク開口部２０の縁部に沿って下方に立設された環状の内周壁３２を備えている。
【００３２】
また、天板２８における後端側でかつ内周壁３２の径方向外側の２箇所には、後述するディスク押え部材８４取付用の切欠部３４が設けられている。さらに、天板２８における右側の切欠部３４の右側には、後述するロック部材８８を操作するための左右方向に長手のロック操作窓３６が設けられている。一方、外周壁３０におけるケース１４の右側の側壁を構成する部分の前後方向中央部には、前後方向に長手とされると共に下方に開口するコ字状の縁部を有する切欠部３０Ａが形成されている。
【００３３】
下シェル２６は、天板２８に略対応した形状の底板３８と、外周壁３０に略対応した形状の外周壁４０とを備えている。底板３８には、ディスクメディア１２のセンタ孔１２Ａに対応する略円形のチャッキング開口部４２と、上記ヘッド開口部１６とが設けられている。以下の説明では、チャッキング開口部４２とヘッド開口部１６とをまとめてアクセス開口４４という場合がある。ヘッド開口部１６は、チャッキング開口部４２の径方向に長手の略矩形状に形成されており、チャッキング開口部４２の前側に連設されている。したがって、アクセス開口４４が形成する底板３８の切欠き縁は、前方に開口する略Ｕ字状に形成されている。また、ヘッド開口部１６は、外周壁４０における前部の左右方向中央部を全高に亘り切り欠いて構成されている。また、底板３８の上面からは、ケース側防塵リブ４５が突設されている。ケース側防塵リブ４５については、第２シャッタ昇降機構と共に後述する。
【００３４】
外周壁４０は、その上端（開口端）を上シェル２４の外周壁３０の下端（開口端）に突き当ててケース１４の周壁を構成するようになっている。この外周壁４０における上シェル２４の切欠部３０Ａに対応する位置には、前後方向に長手とされると共に上方に開口するコ字状の縁部を有する切欠部４０Ａが形成されている。外周壁３０と外周壁４０とが互いに開口端を突き当てた状態では、切欠部３０Ａと切欠部４０Ａとがケース１４の右側の側面にシャッタ操作窓４６（図１参照）を形成するようになっている。シャッタ操作窓４６は、後述するインナロータ６０の操作突起６６露出用とされている。
【００３５】
また、下シェル２６は、チャッキング開口部４２と同軸的な円周に沿って底板３８から部分的に立設された内壁４８を備えている。内壁４８は、その内面を結ぶ仮想円の内径が上シェル２４の内周壁３２の外径よりも大とされており、上シェル２４と下シェル２６との接合状態で内周壁３２との間に隙間が形成されるようになっている。この隙間にインナロータ６０の環状壁部６２（後述）を入り込ませる構成である。そして、底板３８と内壁４８と上シェル２４の内周壁３２とが、ケース１４内においてディスクメディア１２を収容する収容部としてのディスク収容部５０（図１参照）を形成するようになっている。このディスク収容部５０は、上記の通りディスク開口部２０を通じてディスクメディア１２の出し入れが可能とされている。
【００３６】
さらに、底板３８における左後の角部近傍からは、支軸５２が突設されている。支軸５２の軸心は、内壁４８の外面に沿う円周の外側すなわちディスク収容部５０の外側に位置している。本実施形態では、支軸５２は、その内部が底板３８の外面に開口する基準孔５２Ａとされた円筒状に形成されている。底板３８における右後の角部近傍からは、基準孔５２Ａと対を成し左右方向に長手とされた基準孔５３Ａが設けられた突条５３が設けられている。また、底板３８の後部における内壁４８の径方向外側からは、左右一対の軸受部５４が突設されており、ディスク押え部材８４の軸支持用とされている。底板３８における支軸５２の根元部からはカム部５６が突設されているが、これについては後述する。
【００３７】
さらにまた、さらに、底板３８の左前の角部近傍には、一対のガイドピン５８が突設されている。一対のガイドピン５８は、内壁４８と同軸的かつ内壁４８よりも大径の仮想円周上に配置されており、後述するディスク受け部材８２のガイド用とされている。
【００３８】
以上説明した下シェル２６は、外周壁４０の上端面を外周壁３０の下端面に突き当てた状態で、ビス止めによって上シェル２４に接合されてケース１４を構成している。なお、上シェル２４と下シェル２６とは、ビス止めに代えて、例えば外周壁３０、４４を超音波溶着や接着等によって接合しても良い。
【００３９】
（シャッタ機構の構成）
シャッタ機構１８は、ケース１４内に設けられている。具体的には、シャッタ機構１８は、ケース１４内に配設されたインナロータ６０を備えている。インナロータ６０は、短円筒状に形成された環状壁部６２を備えている。環状壁部６２は、上記の通り、上シェル２４の内周壁３２と下シェル２６の内壁４８との間の隙間に摺動可能に入り込んでいる。これにより、インナロータ６０は、ケース１４に対するディスク収容部５０（に収容されるディスクメディア１２）と同軸的に回動可能とされている。
【００４０】
環状壁部６２の下端内側には、平板状の第１シャッタ６４が一体的に設けられている。第１シャッタ６４は、環状壁部６２と同軸同径の円板に、アクセス開口４４と略同形状の切欠部６５Ａと、後述する第２シャッタ７４の内周ディスク受け部（円弧リブ）８０の相対移動軌跡に対応した切欠部６５Ｂとを設けた形状とされている。また、環状壁部６２には、切欠部６５Ａの径方向外端に連続し縁部の形状が下方に開口する略コ字状の切欠部６２Ａが形成されている。この切欠部６２Ａが下シェル２６の外周壁４０が切欠かれた部分と一致することで、記録再生用ヘッドがディスクカートリッジ１０の前方からアクセスすることを許容する構成とされている。
【００４１】
この第１シャッタ６４は、下シェル２６の底板３８（ディスク収容部５０）上に摺動可能に載置されており、インナロータ６０の回動に伴ってヘッド開口部１６の外周側及び内周側の一部を閉塞する閉塞位置（図８参照）と、ヘッド開口部１６上から退避する開放位置（図１１参照）とを取り得るようになっている。すなわち、開放位置に位置する第１シャッタ６４は、その切欠部６５Ａをアクセス開口４４上に略一致して位置させるようになっている。
【００４２】
そして、環状壁部６２の外周面からは、ケース１４のシャッタ操作窓４６から外部に露出される操作突起６６が突設されている。操作突起６６は、第１シャッタ６４が閉塞位置に位置するときにはシャッタ操作窓４６の前端に位置し、第１シャッタ６４が開放位置に位置するときにはシャッタ操作窓４６の後端に位置するように配置されている。
【００４３】
また、第１シャッタ６４の上面からは、切欠部６５Ａにおけるチャッキング開口部４２に対応する縁部に沿って円弧状に形成された第１凸部６８が立設されている。第１凸部６８は、後述する第２凸部８０とで環状のディスク内周受け部９０を成し、このディスク内周受け部９０の上端面がディスクメディア１２の上記チャッキングエリア１２Ｃの下面に当接するようになっている。したがって、第１シャッタ６４は、底板３８とディスクメディア１２との間に配置されてヘッド開口部１６の一部を開閉するようになっている。
【００４４】
一方、第１シャッタ６４の上面における外周近傍からは、環状壁部６２の内面とに跨がるように外周受け凸部７０が立設されている。外周受け凸部７０は、第１凸部６８と略同じ高さとされており、ディスクメディア１２の下面における記録面１２Ｂよりも径方向外側の領域が当接するようになっている。これにより、第１シャッタ６４は、閉塞位置に位置すときには第１凸部６８及び外周受け凸部７０において、ディスクメディア１２を下方から支持する構成とされている。
【００４５】
さらに、第１シャッタ６４の下面における外周近傍からは、下方に向けてカム突起７２が突設されている。カム突起７２は、切欠部６５Ｂの径方向外側に配置されており、第２シャッタ７４のカム溝７８（後述）に常に入り込むようになっている。
【００４６】
また、シャッタ機構１８は、第１シャッタ６４が閉塞位置に位置するときにヘッド開口部１６の残余の一部（内周側の一部）を閉塞する、シャッタとしての第２シャッタを備えている。第２シャッタ７４は、平板状に形成されており、ディスクメディア１２（記録面１２Ｂ）と底板３８との間における第１シャッタ６４よりも下方（底板３８側）に配置されている。このため、第１シャッタ６４における第２シャッタ７４の移動領域と干渉する部分、具体的には主に切欠部６５Ｂの径方向外側部分は、他の部分よりも薄肉とされている。すなわち、第２シャッタ７４は、第１シャッタ６４におけるヘッド開口部１６を閉塞する部分よりも薄肉とされている。
【００４７】
この第２シャッタ７４は、長板状に形成されており、長手方向の一端部に下シェル２６の支軸５２に回動自在に軸支されるボス部７６を備えている。これにより、第２シャッタ７４は、支軸５２廻りの回動によって、ヘッド開口部１６の内周側の一部を閉塞する閉塞位置（図８参照）と、ヘッド開口部１６上から退避する開放位置（図１１参照）とを取り得るようになっている。図１及び図８に示される如く、第１シャッタ６４と第２シャッタ７４とは、それぞれ閉塞位置に位置する状態では、互いの当接端面６４Ａ、７４Ａを突き当ててヘッド開口部１６を完全に閉塞する構成である。
【００４８】
当接端面７４Ａは、支軸５２の軸心を中心とする曲率半径を有する円弧状に形成されている。一方、当接端面６４Ａは、第１シャッタ６４、第２シャッタ７４が共に閉塞位置に位置する状態で、当接端面７４Ａにほぼ隙間なく当接する曲率半径を有する円弧形状に形成されている。これにより、第２シャッタ７４は、第１シャッタ６４の回動位置に依らず支軸５２廻りの回動が可能とされており、ヘッド開口部１６の開閉に伴って第１シャッタ６４と干渉することが確実に防止されてスムースに作動するようになっている。
【００４９】
そして、第１シャッタ６４は、インナロータ６０の軸心廻りに図８に示す矢印Ｄ方向に回動することで閉塞位置から開放位置側へ移動し、第２シャッタ７４は、支軸５２廻りにヘッド開口部１６に対し矢印Ｄとは略反対向きの矢印Ｅ方向に回動することで閉塞位置から開放位置側へ移動する構成とされている。また、これらの第１シャッタ６４と第２シャッタ７４とは互いに連動するようになっている。具体的には、第２シャッタ７４には長手方向に略沿うカム溝７８が設けられており、このカム溝７８には第１シャッタ６４のカム突起７２が入り込んでいる。
【００５０】
これにより、ヘッド開口部１６の閉塞状態で、インナロータ６０の操作突起６６が後方に移動して第１シャッタ６４が矢印Ｄ方向に回動すると、矢印Ｄ方向に回動（公転）するカム突起７２がカム溝７８の溝壁を押圧することで第２シャッタ７４が矢印Ｅ方向に回動するようになっている。カム突起７２は、ヘッド開口部１６の閉塞状態ではカム溝７８における支軸５２側の端部近傍に位置しており、図９及び図１０に示される如くインナロータ６０の矢印Ｄ方向への回動に伴って支軸５２から離間するよう相対移動する構成である。
【００５１】
そして、本実施形態では、図１０に示す如く、第２シャッタ７４が第１シャッタ６４よりも先に開放位置に達するようになっており、その後の第２シャッタ７４の矢印Ｅ方向への回動を防止しつつ第１シャッタの矢印Ｄ方向の回動を担保するために、カム溝７８の支軸５２側と反対側の端部は、第２シャッタ７４が開放位置に位置するときにカム突起７２の移動軌跡に一致する円弧状に形成されている。これにより、第１シャッタ６４は、第２シャッタ７４と干渉することなく図１０に示す回動位置から図１１に示す開放位置へ移動するようになっている。また、シャッタ機構１８では、ヘッド開口部１６の開放状態からインナロータ６０を矢印Ｄと反対方向に回動することで、図１０及び図９に示す状態を経て図８に示すヘッド開口部１６の閉塞状態に復帰する構成である。
【００５２】
また、図１及び図２に示される如く、第２シャッタ７４の上面からは、円弧状に形成された第２凸部８０が突設されている。第２凸部８０は、ヘッド開口部１６を閉塞した状態で、周方向端部をそれぞれ第１凸部６８の対応する周方向端部に突き合わせることで、環状のディスク内周受け部９０を形成するようになっている。第２シャッタ７４における第２凸部８０の外側（径方向内側）は、切欠部７４Ｂ（図２参照）とされている。したがって、第１シャッタ６４及び第２シャッタ７４が共に閉塞位置に位置する状態で、チャッキング開口部４２は完全に開放される構成とされている。換言すれば、チャッキング開口部４２は、切欠部６５Ａ、７４Ｂによって常に開放されてディスク開口部２０と連通する構成である。
【００５３】
図４にも示される如く、第２凸部８０における当接端面７４Ａ側の一端部８０Ａは、テーパ形状とされている。一端部８０Ａは、本実施の形態では、上方、周方向先端側、及び径方向内側をそれぞれ向く湾曲面とされている。第１凸部６８における第２凸部８０の一端部８０Ａに突き合わされる一端部６８Ａは、該一端部８０Ａに対応するテーパ形状とされている。これにより、ヘッド開口部１６の閉塞状態で、第１凸部６８と第２凸部８０とが周方向端部を突き合わせて環状に形成されるディスク内周受け部９０に隙間が生じ難い構成とされている。
【００５４】
ヘッド開口部１６を閉塞した状態で第１凸部６８と第２凸部８０とで環状に形成されるディスク内周受け部９０は、その上端面をディスクメディア１２の下面におけるチャッキングエリア１２Ｃに下方から当接させる（下側から支持する）構成である。このため、ディスクメディア１２の下面すなわち記録面１２Ｂ側には、常に開放されているチャッキング開口部４２を経由して塵埃等が侵入することがない構成とされている。そして、ディスクカートリッジ１０は、ヘッド開口部１６を開閉する際に第２凸部８０をディスクメディア１２の記録面１２Ｂに干渉させないために、第２シャッタ７４を昇降する第２シャッタ昇降機構を備えている。この第２シャッタ昇降機構については後述する。
【００５５】
さらに、シャッタ機構１８は、ディスク受け部材８２を備えている。ディスク受け部材８２は、第１シャッタ６４及び第２シャッタ７４がヘッド開口部１６を閉塞した状態で、第１シャッタ６４の切欠部６５Ａの径方向外端において切欠かれた外周受け凸部７０の周方向端部間を架け渡すディスク外周受け部８２Ａを備えている。すなわち、ディスク外周受け部８２Ａは、閉塞位置に位置する第１シャッタ６４の外周受け凸部７０とで環状を成すと共に、この状態で上面が外周受け凸部７０の上面と略面一とされ、ディスクメディア１２の下面における記録面１２Ｂよりも径方向外側部分の残余の一部に下方から接する（下側から支持する）構成である。これにより、ディスクメディア１２の下面すなわち記録面１２Ｂ側には、ディスク開口部２０を経由して塵埃等が侵入することがない構成とされている。
【００５６】
このディスク受け部材８２は、下シェル２６の一対のガイドピン５８によって上下動可能に支持されており、インナロータ６０が矢印Ｄ方向に回動する動作に伴って下降し、矢印Ｄ方向に回動する外周受け凸部７０と干渉しない構成とされている。詳細は省略するが、ディスク外周受け部８２Ａ及び外周受け凸部７０の対応する周方向端部が上下に重なり合うテーパ状に形成されており、インナロータ６０の矢印Ｄ方向の回動によってディスク外周受け部８２Ａを外周受け凸部７０の下側に潜り込ませる構成とされている。なお、ヘッド開口部１６の開放状態から閉塞状態への移行過程では、上記説明の逆の動作が行なわれるようになっている。
【００５７】
（ディスク保持機構の構成）
ディスク保持機構２２は、ディスク押え部材８４を備えている。ディスク押え部材８４は、下シェル２６の一対の軸受部５４にそれぞれ回動自在に軸支される一対の支軸部８４Ａと、一対の支軸部８４Ａと一体に形成された左右方向に長手のアーム部８４Ｂとを備えて構成されている。また、アーム部８４Ｂには、ディスクメディア１２の上面に当接する左右一対のディスク当接部８４Ｃが設けられている。ディスク当接部８４Ｃは、樹脂材等にて一体成形される支軸部８４Ａ及びアーム部８４Ｂに対し、別部材であるゴム等にて構成することができる。
【００５８】
ディスク押え部材８４は、支軸部８４Ａ周りの回動によって、アーム部８４Ｂをディスク収容部５０（ディスク開口部２０）内に張り出してディスク当接部８４Ｃをディスクメディア１２の上面に当接させるディスク押え位置と、アーム部８４Ｂをディスク収容部５０内に張り出しつつディスク当接部８４Ｃをディスクメディア１２の上面から離間させるディスク回転許容位置と、アーム部８４Ｂをディスク収容部５０から退出させるディスク挿脱可能位置とを選択的に取り得る構成とされている。
【００５９】
また、図２に示される如く、ディスク保持機構２２は、ディスク押え部材８４をディスク押え位置側に付勢するディスク押えばね８６と、ケース１４内に左右方向のスライドのみ可能に設けられ操作突起８８Ａをロック操作窓３６から露出させたロック部材８８とを備えている。ディスク押えばね８６は、捩りコイルばねとされており、一端部がアーム部８４Ｂに係止されると共に他端部がロック部材８８の係合突起８８Ｂに係合している。これにより、ディスク押え部材８４は、通常はディスク押えばね８６の付勢力によってディスク押え位置に位置し、ディスクメディア１２を保持する構成である。
【００６０】
このディスク押え部材８４は、第１シャッタ６４がヘッド開口部１６を開放する動作に伴ってディスク押え位置からディスク回転許容位置に移動するようになっている。具体的には、インナロータ６０の環状壁部６２には、他の部分よりも壁高が高い部分が設けられており（図示省略）、該部分がインナロータ６０の矢印Ｄ方向への回動に伴ってアーム部８４Ｂを切欠部３４内において上方に持ち上げることで、ディスク押え部材８４をディスク押え位置からディスク回転許容位置に移動させる構成である。そして、ヘッド開口部１６が開放されている状態で、ディスク押え部材８４がディスク回転許容位置に位置する状態が維持されるようなっている。これにより、ディスク押え部材８４が回転するディスクメディア１２に干渉することが防止される構成である。
【００６１】
また、ロック部材８８は、操作突起８８Ａがロック操作窓３６の左端に位置するときにはディスク押えばね８６の他端部に係合するが、操作突起８８Ａがロック操作窓３６の右端に位置するときにはディスク押えばね８６の他端部との係合が解除されるようになっている。したがって、操作突起８８Ａを操作してロック部材８８を右方に移動させることで、ディスク押え部材８４にはディスク押えばね８６の付勢力が作用しなくなる。この状態でディスク押え部材８４を人手によってディスク挿脱可能位置に移動すれば、ディスク押え部材８４から手を離してもディスク押え部材８４がディスク押え位置に復帰してしまうことがなく、ディスクメディア１２のディスク収容部５０への挿入、取り出し（離脱）、取替え等を容易に行なうことができる構成である。
【００６２】
［第２シャッタ昇降機構の構成］
図４に示される如く、ケース１４の底板３８における支軸５２の根元部からは、平面視で円環状に形成されたカム部５６が支軸５２と同軸的に突設されている。カム部５６の上面には、周方向の一部に設けられた段差部であるテーパ面５６Ａを境界にして高位の異なる高面部５６Ｂ、低面部５６Ｃが形成されている。すなわち、カム部５６の上面は、互いに高位の異なる高面部５６Ｂ、低面部５６Ｃの周方向端部がテーパ面５６Ａによって連続されて構成されている。高面部５６Ｂと低面部５６Ｃとの高位差は、略０．３ｍｍから０．５ｍｍとされている（各図では誇張して描いている）。
【００６３】
また、第２シャッタ７４は、ボス部７６が支軸５２に遊嵌されて該支軸５２の軸線方向の移動が可能とされている。すなわち、第２シャッタ７４は、ディスクメディア１２の記録面１２Ｂに対し該ディスクメディア１２の軸線方向（板厚方向）に沿う接離可能とされている。この第２シャッタ７４のボス部７６における周方向の一部からは、接触子としての摺動突起７６Ａが下方に向けて突設されている。
【００６４】
摺動突起７６Ａは、第２シャッタ７４が支軸５２廻りに回動する動作に伴って、カム部５６の上面と摺動するようになっている。そして、摺動突起７６Ａは、第２シャッタ７４が閉塞位置に位置するときには、高面部５６Ｂに当接し、第２シャッタ７４が閉塞位置から矢印Ｅ方向にわずかに回動するとテーパ面５６Ａ、低面部５６Ｃと順次摺動して急速に下降するように配置されている。また、摺動突起７６Ａは、第２シャッタ７４が開放位置に位置するときには、カム部５６の低面部５６Ｃに当接するようになっている。一方、第２シャッタ７４が開放位置から矢印Ｅとは反対の矢印Ｆ方向に回動すると、テーパ面５６Ａと摺動しつつ低面部５６Ｃ側から高面部５６Ｂ側に移動するようになっている。
【００６５】
以上により、第２シャッタ７４は、図３（Ａ）に示される如く、ヘッド開口部１６を閉塞する閉塞位置に位置する状態では、摺動突起７６Ａを高面部５６Ｂに当接させてディスクメディア１２に対し最も近接した（近接位置に位置する）状態となる構成である。この状態では、第２シャッタ７４に設けられた第２凸部８０が第１シャッタ６４の第１凸部６８と上面の高位を一致させてディスクメディア１２のチャッキングエリア１２Ｃに当接するようになっている。すなわち、この状態で、第２凸部８０がディスク内周受け部９０を構成するようになっている。
【００６６】
一方、第２シャッタ７４は、図３（Ｂ）に示される如く、ヘッド開口部１６を開閉する過程及びヘッド開口部１６を完全に開放した状態では、摺動突起７６Ａを低面部５６Ｃに摺動または当接させて、ディスクメディア１２に対し上記近接位置よりも離間した位置に位置する状態となる。これにより、ヘッド開口部１６を開閉する過程及びヘッド開口部１６を完全に開放した状態で、第２凸部８０は、ディスクメディア１２の記録面１２Ｂから離間し、該記録面１２Ｂに干渉することがない構成とされている。なお、この状態で第１シャッタ６４は、第１凸部６８及び外周受け凸部７０によってディスクメディア１２を下方から支持し、該ディスクメディア１２が底板３８に対し略平行な状態を維持する構成とされている。
【００６７】
したがって、上記カム部５６と摺動突起７６Ａとが本発明における「ガイド機構」を構成する。なお、カム部５６は、テーパ面５６Ａ、高面部５６Ｂ、及び低面部５６Ｃをそれぞれ周方向に沿って複数有し、これに対応して第２シャッタ７４が複数の摺動突起７６Ａを有するようにしても良い。
【００６８】
また、第２シャッタ昇降機構は、付勢部材としての押圧ばね９２を備えている。押圧ばね９２は、本実施形態では圧縮コイルスプリングとされており、支軸５２廻りに配設されている。押圧ばね９２は、ボス部７６の上面と、ケース１４の天板２８から突設されたばね受け部２８Ａとの間に圧縮状態で配設されている。これにより、第２シャッタ７４が押圧ばね９２の付勢力によって常に下方に付勢され、摺動突起７６Ａがカム部５６に押し付けられる構成となっている。
【００６９】
さらに、天板２８からは、ストッパとしてのストッパ突起９４が突設されている。ストッパ突起９４は、第２シャッタ７４が閉塞位置に位置するとき、すなわちディスクメディア１２に対し最も近接した状態で、ボス部７６の上面に当接するようになっている。これにより、閉塞位置に位置する第２シャッタ７４が上方に移動することが防止される構成とされている。ストッパ突起９４は、ボス部７６の上面における摺動突起７６Ａ（高面部５６Ｂとの当接部位）の直上部に当接するように配置されている。なお、ストッパ突起９４は、例えば、天板２８とは別体とされ支軸５２の上端に固着されるばね受け部材に一体に設けられても良い。
【００７０】
そして、ディスクカートリッジ１０では、図３（Ａ）に示される如く、ヘッド開口部１６の閉塞状態から第２シャッタ７４の下方への移動を許容するために、底板３８と第２シャッタ７４との間には隙間が形成されている。この隙間を経由したケース１４のディスク収容部５０内（ディスクメディア１２の記録面）への塵埃等の侵入を防止するために、ケース１４の底板３８の上面からはケース側防塵リブ４５が突設されている。
【００７１】
図２に示される如く、ケース側防塵リブ４５は、アクセス開口４４の縁部に沿って設けられているが、その一部がヘッド開口部１６の右縁１６Ａ側よりも右側に位置している。この部分は、第１シャッタ６４の当接端面６４Ａに対応して円弧状に形成された円弧部４５Ａとされている。すなわち、ケース側防塵リブ４５は、そのアクセス開口４４側の縁部が、第１シャッタ６４の切欠部６５Ａの縁部に対応して（切欠部６５Ｂとの境界部を直線状に結んだ如く）形成されている。
【００７２】
また、ケース側防塵リブ４５における閉塞位置に位置する第２シャッタ７４が横切る部位は、他の部分よりも低位の低位部４５Ｂとされている。この低位部４５Ｂの底板３８に対する高位が第２シャッタ７４の下降代を生成する構成とされている。したがって、低位部４５Ｂの底板３８に対する高位は、カム部５６の高面部５６Ｂと低面部５６Ｃとの高位差に対応している。
【００７３】
一方、図５に示される如く、第２シャッタ７４の下面からは、ケース側防塵リブ４５の低位部４５Ｂに対応した形状のシャッタ側防塵リブ９６が突設されている。シャッタ側防塵リブ９６の突出高は、ケース側防塵リブ４５における低位部４５Ｂと他の部分との高位差に対応している。これにより、図６に示される如く第２シャッタ７４が閉塞位置に位置する状態では、シャッタ側防塵リブ９６が低位部４５Ｂ上に位置し、低位部４５Ｂ上の隙間が閉塞されるようになっている。また、シャッタ側防塵リブ９６の突出高は、低位部４５Ｂの底板３８に対する高位と同等または若干大とされており、図７に示される如く第２シャッタ７４が開放位置に位置する状態では、該第２シャッタ７４の当接端面７４Ａが低位部４５Ｂに干渉しない構成とされている。
【００７４】
また、図４に示される如く、シャッタ側防塵リブ９６は、ヘッド開口部１６を閉塞する際に低位部４５Ｂに近接する側の面がテーパ面９６Ａとされており、第２シャッタ７４の矢印Ｆ方向の回動動作によって低位部４５Ｂ上に乗り上げるようになっている。一方、図３に示される如く、ケース側防塵リブ４５の低位部４５Ｂにおける右方の面はテーパ面９６Ａに対応するテーパ面４５Ｃとされており、換言すれば、上端面の幅が狭く構成されており、閉塞位置に位置する第２シャッタ７４がわずかに矢印Ｅ方向に回動すると、該第２シャッタ７４を速やかに（例えば、図９に示す状態で）下降させるようになっている。
【００７５】
さらに、ケース側防塵リブ４５をアクセス開口４４に沿って設けることで、第１シャッタ６４がヘッド開口部１６の開閉に伴ってケース側防塵リブ４５上を摺動するようになっている。これにより、第１シャッタ６４の厚肉化が防止されると共に第１シャッタ６４とケース１４との摺動抵抗が低減されている。なお、第１シャッタ６４の姿勢を安定させるために、第１シャッタ６４から底板３８と摺動する突起を突設するか、底板３８から第１シャッタと摺動する突起を突設するかしても良い。また、ケース側防塵リブ４５は、円弧部４５Ａを設けず、単にアクセス開口４４に沿って形成されても良い。
【００７６】
次に、本実施形態の作用を説明する。
【００７７】
上記構成のディスクカートリッジ１０では、保管時や運搬時等の不使用時には第１シャッタ６４、第２シャッタ７４がそれぞれ閉塞位置に位置してヘッド開口部１６を閉塞している。さらに、ディスク押え部材８４がディスク押えばね８６の付勢力によってディスクメディア１２を下方に押し付け、該ディスクメディア１２のガタつきを防止している。
【００７８】
また、第１凸部６８と第２凸部８０とが環状のディスク内周受け部９０を形成し、このディスク内周受け部９０の上端面がディスクメディア１２のチャッキングエリア１２Ｃに当接している。さらに、外周受け凸部７０とディスク受け部材８２のディスク外周受け部８２Ａとが環状を成してディスクメディア１２の記録面１２Ｂよりも径方向外側部分に当接している。さらにまた、第１シャッタ６４の下面がケース側防塵リブ４５に当接すると共に、第２シャッタ７４のシャッタ側防塵リブ９６がケース側防塵リブ４５の低位部４５Ｂ上に乗り上げている。これらにより、ディスクメディア１２の内周側から記録面１２Ｂ側への塵埃等の侵入、ディスクメディア１２の外周側から記録面１２Ｂ側への塵埃等の侵入が防止されると共に、ディスクメディア１２の記録面１２Ｂが第１シャッタ６４、第２シャッタ７４に接触することが防止されている。
【００７９】
このディスクカートリッジ１０を使用する際、すなわちディスクメディア１２に情報を記録する際またはディスクメディア１２に記録された情報を再生する際には、ディスクカートリッジ１０を矢印Ａ方向に沿ってドライブ装置に装填する。この装填動作（ディスクカートリッジ１０とドライブ装置との相対移動）に伴って、ドライブ装置の開閉部材がインナロータ６０の操作突起６６に係合して該操作突起６６を後方に移動する。
【００８０】
すると、インナロータ６０すなわち第１シャッタ６４が矢印Ｄ方向に回動し、これに連動して第２シャッタ７４が矢印Ｅ方向に回動する。この第２シャッタ７４の矢印Ｅ方向への回動初期には、該回動に伴って、シャッタ側防塵リブ９６がケース側防塵リブ４５の低位部４５Ｂ上から退避すると共に、摺動突起７６Ａがカム部５６の高面部５６Ｂ上からテーパ面５６Ａを経由して低面部５６Ｃ上へ移動する。すると、第２シャッタ７４は、押圧ばね９２の付勢力（及び重力）によって下降し、第２凸部８０がディスクメディア１２の下面から離間する。
【００８１】
第１シャッタ６４がさらに矢印Ｄ方向に回動して第２シャッタ７４がさらに矢印Ｅ方向に開動し、図９及び図１０に示す状態を経て操作突起６６がシャッタ操作窓４６の後端まで移動すると、図１１に示される如くヘッド開口部１６が完全に開放された状態になる。このヘッド開口部１６の開放過程及び完全に開放された状態では、第２シャッタ７４が第２凸部８０と共にディスクメディア１２に対し離間しているので、第２凸部８０がディスクメディア１２の記録面１２Ｂに干渉することはない。
【００８２】
次いで、ドライブ装置内では、底板３８の基準孔５２Ａ、５３Ａに位置決めピンが挿入される等してディスクカートリッジ１０が位置決めされる。この位置決め状態でチャッキング開口部４２からはドライブ装置の回転スピンドル軸が進入し、該回転スピンドル軸がディスクメディア１２のセンタ孔１２Ａ（及びチャッキングエリア１２Ｃ）をチャッキングして該ディスクメディア１２を保持しつつ第１シャッタ６４の第１凸部６８、外周受け凸部７０から離間させる。そして、回転スピンドル軸が回転すると、ディスクメディア１２がケース１４内で非接触で回転駆動される。一方、ヘッド開口部１６からはドライブ装置の記録再生ヘッドが進入する。この記録再生ヘッドによって、ディスクメディア１２の記録面１２Ｂに情報が記録され、または記録面１２Ｂに記録された情報が再生される（ディスクメディア１２が使用される）。
【００８３】
ディスクメディア１２の使用後には、ディスクメディア１２が第１シャッタ６４の第１凸部６８、外周受け凸部７０上に載置された状態で、ディスクカートリッジ１０がドライブ装置から排出される。この排出動作に伴って、ドライブ装置の開閉部材がインナロータ６０の操作突起６６に係合して該操作突起６６を前方に移動する。すると、インナロータ６０すなわち第１シャッタ６４が矢印Ｄとは反対方向に回動し、これに連動して第２シャッタ７４が矢印Ｆ方向に回動する。
【００８４】
このとき、第２シャッタ７４は第２凸部８０と共にディスクメディア１２の下面から離間しているため、第２凸部８０がディスクメディア１２の記録面１２Ｂに干渉することはない。そして、第２凸部８０げ記録面１２Ｂよりも径方向内側に至ると、第２シャッタ７４の矢印Ｆ方向の回動によって、摺動突起７６Ａがテーパ面５６Ａと摺動しつつ低面部５６Ｃから高面部５６Ｂに移動すると共に、シャッタ側防塵リブ９６がテーパ面９６Ａをテーパ面４５Ｃと摺動させつつケース側防塵リブ４５の低位部４５Ｂ上に乗り上げる。すると、第２シャッタ７４が第２凸部８０と共に上昇し、該第２凸部８０の上端面がディスクメディア１２のチャッキングエリア１２Ｃに当接する。すなわち、第２シャッタ７４が、上下方向においてディスクメディア１２に対する近接位置に復帰する。
【００８５】
図８に示される如くヘッド開口部１６が完全に閉塞された状態に復帰すると、第２凸部８０は第１凸部６８と共に環状のディスク内周受け部９０を構成し、ディスクメディア１２のチャッキングエリア１２Ｃを支持しつつ記録面１２Ｂ側への塵埃等の侵入を防止する状態に復帰する。すなわち、ディスクカートリッジ１０が使用前の状態に復帰する。
【００８６】
ここで、ヘッド開口部１６の開閉過程及びヘッド開口部が完全に開放された状態で、第２シャッタ７４が下降してディスクメディア１２に対し離間するため、該第２シャッタ７４に設けた第２凸部８０がディスクメディア１２の記録面１２Ｂに接触してしまうことが防止される。そして、ディスクメディア１２は、ヘッド開口部１６の開放状態で、第１シャッタ６４の第１凸部６８及び外周受け凸部７０に当接してケース１４の底板３８（ドライブ装置に対する位置決め基準面）に対し略平行な状態に維持される。これにより、ドライブ装置の回転スピンドル軸によるディスクメディア１２の保持が正確かつ容易に行なわれ、ディスクメディア１２の回転時の面振れも防止される。
【００８７】
このように、本実施形態に係るディスクカートリッジ１０では、第２シャッタ７４に設けられた防塵用の第２凸部８０がディスクメディア１２の記録面１２Ｂに干渉することを確実に防止することができる。
【００８８】
特に、第２シャッタ７４を下方に付勢する押圧ばね９２を設けたため、重力に頼ることなく第２シャッタ７４を底板３８側に移動してディスクメディア１２から離間させることができる。また、摺動突起７６Ａにおいてカム部５６上面に摺動または当接する第２シャッタ７４のガタつきが防止され、姿勢及び動作が安定する。これらにより、例えば、ディスクカートリッジ１０を、ディスクメディア１２の軸線を水平面に沿わせるように配置する縦型のドライブ装置に装填した場合にも、第２凸部８０を記録面１２Ｂに干渉させない上記機能が果たされる。
【００８９】
また、閉塞位置に位置する第２シャッタ７４の上昇を規制するストッパ突起９４を設けたため、昇降（上下動）可能な第２シャッタ７４に設けた第２凸部８０が第１凸部６８よりも上方に突出し、ディスク押え部材８４にて保持されているディスクメディア１２に不要な荷重を作用させることが防止される。これにより、例えば、ユーザが不注意または故意により第２シャッタ７４を外部から押圧しても、ディスクメディア１２が保護される。
【００９０】
さらに、第２シャッタ７４を昇降させる第２シャッタ昇降機構を、ケース１４におけるディスク収容部５０（ディスクメディア１２）の径方向外側に位置する支軸５２廻りの部分と、第２シャッタ７４のボス部７６との間に設けたため、換言すれば、第２シャッタ７４をケース１４の厚み方向に移動させる第２シャッタ昇降機構をディスクメディア１２の外側に配置したため、該第２シャッタ昇降機構をケース１４内の限られた空間を有効利用して（天板２８と底板３８との間の上下に広い空間に）設けることができた。
【００９１】
そして、第２シャッタ昇降機構は、底板３８における支軸５２の根元部廻りに設けたカム部５６と、第２シャッタ７４のボス部７６から突設した摺動突起７６Ａとを有し構成されるため、簡単な構造で、上記第２凸部８０を記録面１２Ｂに干渉させない機能が果たされる。また、この構造によって、付勢部材として、組付が容易な圧縮コイルスプリングである上記押圧ばね９２を採用することができる。
【００９２】
なお、上記実施形態では、第２シャッタ昇降機構を第２シャッタ７４の回動軸心廻りに設けた好ましい構成としたが、本発明はこれに限定されず、例えば、第２シャッタ昇降機構を、シャッタ側防塵リブ９６がケース側防塵リブ４５の低位部４５Ｂに乗り降りする動作に連動して底板３８に設けられたリブに乗り降りするリブを第２シャッタ７４の下面に設けて構成しても良く、シャッタ側防塵リブ９６がケース側防塵リブ４５の低位部４５Ｂに乗り降りする動作に連動して第１シャッタ６４の下面に設けたリブを乗り降りさせるリブを第２シャッタ７４の上面に設けることで構成しても良い。また例えば、第２シャッタ昇降機構を第２シャッタ７４の回動軸心廻りに設ける構成において、カム部５６をボス部７６に下向きに設け、底板３８の上面から摺動突起７６Ａを突設するようにしても良い。
【００９３】
また、上記実施形態では、付勢部材として圧縮コイルスプリングである押圧ばね９２を備えた構成としたが、本発明はこれに限定されず、例えば、付勢部材を備えない構成としても良く、付勢部材として板ばね等の他の弾性部材を用いても良い。付勢部材を設けない場合には、例えば、カム部５６と摺動突起７６Ａとが確動カムを構成するようにしても良い。
【００９４】
さらに、上記実施形態では、第２シャッタ７４の上昇を規制するストッパとしてストッパ突起９４を設けた構成としたが、本発明はこれに限定されず、ストッパ突起９４を設けない構成としても良い。この場合でも、上記実施形態では、第２シャッタ７４上に設けられた第１シャッタ６４がストッパとしても機能する。特に、第２凸部８０の一端部８０Ａが第１凸部６８の一端部６８Ａに下側から突き合わされるため、第２シャッタ７４の上昇を効果的に防止することができる。
【００９５】
さらにまた、上記の実施形態では、ケース１４にディスク開口部２０が設けられている構成を例示したが、本発明はこれに限定されず、例えば、天板２８が開口部を備えない構成としても良く、ディスク開口部２０に代えて天板２８にもヘッド開口部１６またはアクセス開口４４を設けた構成として良い。後者の場合、天板２８とディスクメディア１２との間にシャッタ機構１８または別のシャッタ機構を設けることができる。また、上記の実施形態では、チャッキング開口部４２が常時開放される構成としたが、本発明はこれに限定されず、チャッキング開口部４２がヘッド開口部１６と共に第１シャッタ６４及び第２シャッタ７４にて閉塞される構成であっても良い。但し、本発明は、ディスク開口部２０を有するか、またはチャッキング開口部４２が常時開放される構成に、好適に適用される。
【００９６】
さらに、上記の実施形態では、ディスクメディア１２の直径が略１２０ｍｍである構成としたが、本発明はこれに限定されず、如何なる寸法のディスクメディア１２を備えるディスクカートリッジ１０についても本発明が適用可能であることは言うまでもない。また、例えば、ディスクメディア１２は、片面記録タイプのみならず両面記録タイプであっても良く、ユーザによる情報の記録を不能とした再生専用のディスクメディアであっても良いことは言うまでもない。したがって、上記したドライブ装置の記録再生ヘッドは、記録機能のみ、または再生機能のみを有するものであっても良い。また、本発明におけるディスクカートリッジ１０は、ディスクメディア１２を構成要素とするものには限られず、例えば、ディスクメディア１２に使用に際して該ディスクメディア１２を収容するものであっても良い。
【図面の簡単な説明】
【００９７】
【図１】本発明の一実施形態に係るディスクカートリッジの外観を示す斜視図である。
【図２】本発明の一実施形態に係るディスクカートリッジの分解斜視図である。
【図３】本発明の一実施形態に係るディスクカートリッジを示す図であって、（Ａ）はヘッド開口部の閉塞状態の模式的な断面図、（Ｂ）はヘッド開口部の開放状態の模式的な断面図である。
【図４】本発明の一実施形態に係るディスクカートリッジを構成する第２シャッタ昇降機構の分解斜視図である。
【図５】本発明の一実施形態に係るディスクカートリッジを構成する第２シャッタの下側から見た斜視図である。
【図６】本発明の一実施形態に係るディスクカートリッジを構成する防塵リブを示すヘッド開口部の閉塞状態の模式的な底面図である。
【図７】本発明の一実施形態に係るディスクカートリッジを構成する防塵リブを示すヘッド開口部の開放状態の模式的な底面図である。
【図８】本発明の一実施形態に係るディスクカートリッジを構成するシャッタ機構によるヘッド開口部の閉塞状態を示す模式的な平面図である。
【図９】本発明の一実施形態に係るディスクカートリッジを構成するシャッタ機構のヘッド開口部の閉塞または開放過程を示す模式的な平面図である。
【図１０】本発明の一実施形態に係るディスクカートリッジを構成するシャッタ機構のヘッド開口部の閉塞または開放過程の図９とは異なる状態を示す模式的な平面図である。
【図１１】本発明の一実施形態に係るディスクカートリッジを構成するシャッタ機構によるヘッド開口部の開放状態を示す模式的な平面図である。
【図１２】従来のディスクカートリッジを示す図であって、（Ａ）はシャッタ機構によるヘッド開口部の閉塞状態を示す平面図、（Ｂ）はシャッタ機構によるヘッド開口部の開放状態を示す平面図である。
【符号の説明】
【００９８】
１０    ディスクカートリッジ
１２    ディスクメディア
１２Ａ  センタ孔
１２Ｂ  記録面
１４    ケース
１６    ヘッド開口部
５２    支軸
５６    カム部（ガイド機構）
６４    第１シャッタ
６８    第１凸部
７４    第２シャッタ
７６    ボス部
７６Ａ  摺動突起（接触子、ガイド機構）
８０    第２凸部
９２    押圧ばね（付勢部材）
９４    ストッパ突起（ストッパ）
【図１】
2005267771.tif 000003
【図２】
2005267771.tif 000004
【図３】
2005267771.tif 000005
【図４】
2005267771.tif 000006
【図５】
2005267771.tif 000007
【図６】
2005267771.tif 000008
【図７】
2005267771.tif 000009
【図８】
2005267771.tif 000010
【図９】
2005267771.tif 000011
【図１０】
2005267771.tif 000012
【図１１】
2005267771.tif 000013
【図１２】
2005267771.tif 000014